(57)【特許請求の範囲】
【請求項１】
軟判定復号により復号可能な誤り訂正符号により符号化されたＯＦＤＭ信号を受信する受信装置であって、
受信したＯＦＤＭ信号をフーリエ変換して周波数領域の複素ベースバンド信号を生成するフーリエ変換部と、
前記複素ベースバンド信号に含まれる既知のパイロット信号を抽出し、該抽出したパイロット信号をもとに各キャリアの伝送路応答を算出する伝送路応答算出部と、
前記複素ベースバンド信号を前記伝送路応答で除算して送信信号の推定値を生成する等化部と、
各キャリアの前記伝送路応答と閾値とを比較し、前記伝送路応答が前記閾値以下となるキャリアを消失キャリアと判定する消失キャリア判定部と、
受信したＯＦＤＭ信号の帯域雑音分散を算出する帯域雑音分散算出部と、
前記消失キャリアと判定されたキャリアについて前記帯域雑音分散よりも大きな値となるようにキャリアごとのキャリア雑音分散を前記帯域雑音分散を用いて算出するキャリア雑音分散算出部と、
前記キャリア雑音分散及び前記送信信号の推定値を用いて、送信された各ビットの尤度比を算出する尤度比算出部と、
前記尤度比を用いて、送信されたビットの推定値を復号する誤り訂正復号部と、
を備えることを特徴とする受信装置。
【請求項２】
前記尤度比算出部は、前記消失キャリア判定部により消失キャリアであると判定されたキャリアについては対数尤度比を０とすることを特徴とする、請求項１に記載の受信装置。
【請求項３】
前記キャリア雑音分散算出部は、前記帯域雑音分散に対してキャリアごとに重み係数を乗じ、前記伝送路応答の振幅が大きいキャリアほど小さくなるように前記各キャリアの雑音分散を算出することを特徴とする、請求項１又は２に記載の受信装置。
【請求項４】
前記帯域雑音分散算出部は、前記消失キャリア判定部により消失キャリアではないと判定されたキャリアのみを用いて、前記帯域雑音分散を算出することを特徴とする、請求項１から３のいずれか一項に記載の受信装置。
【請求項５】
前記消失キャリア判定部は、全キャリア数に対する前記消失キャリア数の比率が所定の値を超えないように、前記閾値を調整することを特徴とする、請求項１から４のいずれか一項に記載の受信装置。
【請求項６】
前記尤度比の絶対値が所定の値を超える場合には、該所定の値でクリップする尤度比クリップ部を更に備え、
前記誤り訂正復号部は、前記尤度比の絶対値が前記所定の値を超える場合には、前記尤度比クリップ部によりクリップされた尤度比を用いて、送信されたビットの推定値を復号することを特徴とする、請求項１から５のいずれか一項に記載の受信装置。
【請求項７】
コンピュータを、請求項１から６のいずれか一項に記載の受信装置として機能させるためのプログラム。
【発明の詳細な説明】
【技術分野】
【０００１】
本発明は、ＯＦＤＭ（Orthogonal Frequency Division Multiplexing：直交周波数分割多重）信号を受信する受信装置及びプログラムに関するものである。
【背景技術】
【０００２】
地上伝送において、同一周波数・同一内容の妨害波の影響を軽減するため、ＯＦＤＭ信号にＧＩ（Guard Interval）を付加することが行われている。マルチパス環境やＳＦＮ（Single Frequency Network）環境において、妨害波の遅延時間がＧＩ長以内となるとき、受信装置においてＧＩを除去することで、受信したＯＦＤＭシンボルのシンボル間干渉を除去できることが知られている。
【０００３】
一方、マルチパス環境やＳＦＮ環境における伝送路歪みについては、パイロット信号から求めた伝送路応答により等化が行われる。しかし、妨害波の遅延時間がＧＩ長以内となる場合でも、伝送路歪みを完全に等化することは困難であり、伝送路特性は劣化する。希望波と妨害波のＤＵ比（Desired to Undesired signal ratio）が大きい場合、伝送路歪みは小さいため、受信特性の劣化も小さい。しかし、ＤＵ比が０ｄＢに近づいてくると、ある特定のキャリアの受信電力が０に近づいていくため、伝送路歪みが大きくなり、伝送特性は極端に劣化する。
【０００４】
そこで、ＯＦＤＭ信号の各キャリアの復調データを等化するための各キャリアに対する伝送路応答の振幅を、予め与えられた閾値と比較し、受信電力が極端に小さいキャリアと大きいキャリアを消失させる（復調データをヌルとする）ことで、受信特性を改善する受信装置が知られている（例えば、特許文献１参照）。
【先行技術文献】
【特許文献】
【０００５】
【特許文献１】特許第３７８２２３３号公報
【発明の概要】
【発明が解決しようとする課題】
【０００６】
しかし、特許文献１に記載の受信装置では、あるキャリアの復調データをヌルとしたとき、当該キャリアで伝送された情報が完全に捨てられてしまうため、受信特性が劣化するという課題があった。
【０００７】
また、特許文献１では閾値Ｐの決め方については言及されていないが、閾値Ｐを大きくしすぎると、復調データがヌルになるキャリアの数が多くなりすぎてしまい、受信特性が劣化するおそれがある。また、閾値を小さくしすぎると、受信電力が小さいキャリアの復調データがヌルにならないため、受信特性の改善が得られなくなるという課題があった。
【０００８】
かかる事情に鑑みてなされた本発明の目的は、特定のキャリアの信頼度が低くなる伝送路を通過したＯＦＤＭ信号を受信した場合でも受信特性の劣化を抑制することが可能な受信装置及びプログラムを提供することにある。
【課題を解決するための手段】
【０００９】
上記課題を解決するため、本発明に係る受信装置は、軟判定復号により復号可能な誤り訂正符号により符号化されたＯＦＤＭ信号を受信する受信装置であって、受信したＯＦＤＭ信号をフーリエ変換して周波数領域の複素ベースバンド信号を生成するフーリエ変換部と、前記複素ベースバンド信号に含まれる既知のパイロット信号を抽出し、該抽出したパイロット信号をもとに各キャリアの伝送路応答を算出する伝送路応答算出部と、前記複素ベースバンド信号を前記伝送路応答で除算して送信信号の推定値を生成する等化部と、各キャリアの前記伝送路応答と閾値とを比較し、前記伝送路応答が前記閾値以下となるキャリアを消失キャリアと判定する消失キャリア判定部と、受信したＯＦＤＭ信号の帯域雑音分散を算出する帯域雑音分散算出部と、前記消失キャリアと判定されたキャリアについて前記帯域雑音分散よりも大きな値となるようにキャリアごとのキャリア雑音分散を前記帯域雑音分散を用いて算出するキャリア雑音分散算出部と、前記キャリア雑音分散及び前記送信信号の推定値を用いて、送信された各ビットの尤度比を算出する尤度比算出部と、前記尤度比を用いて、送信されたビットの推定値を復号する誤り訂正復号部と、を備えることを特徴とする。
【００１０】
さらに、本発明に係る受信装置において、前記尤度比算出部は、前記消失キャリア判定部により消失キャリアであると判定されたキャリアについては対数尤度比を０とすることを特徴とする。
【００１１】
さらに、本発明に係る受信装置において、前記キャリア雑音分散算出部は、前記帯域雑音分散に対してキャリアごとに重み係数を乗じ、前記伝送路応答の振幅が大きいキャリアほど小さくなるように前記各キャリアの雑音分散を算出することを特徴とする。
【００１２】
さらに、本発明に係る受信装置において、前記帯域雑音分散算出部は、前記消失キャリア判定部により消失キャリアではないと判定されたキャリアのみを用いて、前記帯域雑音分散を算出することを特徴とする。
【００１３】
さらに、本発明に係る受信装置において、前記消失キャリア判定部は、全キャリア数に対する前記消失キャリア数の比率が所定の値を超えないように、前記閾値を調整することを特徴とする。
【００１４】
さらに、本発明に係る受信装置において、前記尤度比の絶対値が所定の値を超える場合には、該所定の値でクリップする尤度比クリップ部を更に備え、前記誤り訂正復号部は、前記尤度比の絶対値が前記所定の値を超える場合には、前記尤度比クリップ部によりクリップされた尤度比を用いて、送信されたビットの推定値を復号することを特徴とする。
【００１５】
また、上記課題を解決するため、本発明に係るプログラムは、コンピュータを、上記受信装置として機能させることを特徴とする。
【発明の効果】
【００１６】
本発明によれば、特定のキャリアの信頼度が低くなる伝送路を通過したＯＦＤＭ信号を受信した場合でも受信特性の劣化を抑制することができる。
【図面の簡単な説明】
【００１７】
【図１】本発明に係る受信装置の構成例を示すブロック図である。
【図２】本発明に係る受信装置における尤度比算出部により算出される尤度比について説明する図である。
【図３】本発明に係る受信装置における消失キャリア判定部の構成例を示すブロック図である。
【図４】本発明に係る受信装置における閾値調整部の動作例を示すフローチャートである。
【図５】本発明に係る受信装置における消失キャリア判定部の処理を説明する図である。
【図６】本発明に係る受信装置における雑音分散算出部の構成例を示すブロック図である。
【図７】本発明に係る受信装置の第２の構成例を示すブロック図である。
【図８】本発明に係る受信装置の第３の構成例を示すブロック図である。
【発明を実施するための形態】
【００１８】
以下、本発明の実施形態について、図面を参照して詳細に説明する。以下の説明において、添え字のｉはＯＦＤＭ信号のキャリア番号を意味する。また、添え字のｉは、適宜省略するものとする。
【００１９】
図１は、本発明に係る受信装置の構成例を示すブロック図である。図１に示すように、受信装置１は、フーリエ変換部１１と、伝送路応答算出部１２と、等化部１３と、消失キャリア判定部１４と、雑音分散算出部１５と、尤度比算出部１６と、誤り訂正復号部１７と、を備える。
【００２０】
受信装置１は、送信側から送信される、軟判定復号により復号可能な誤り訂正符号により符号化されたＯＦＤＭ信号を受信する。軟判定復号により復号可能な誤り訂正符号とは、ＬＤＰＣ符号やターボ符号などである。ＬＤＰＣ符号やターボ符号の復号は、軟入力軟出力の繰り返し復号となる。受信装置１は、伝送路の雑音分散σ２を算出する必要がある。送信されたビットが０であったのか１であったのかについて、雑音分散σ２とＩＱ平面上のユークリッド距離から尤度比Ｓを算出し、誤り訂正復号を行う。
【００２１】
フーリエ変換部１１は、受信したＯＦＤＭ信号を離散フーリエ変換して周波数領域の複素ベースバンド信号ｙｉを生成し、伝送路応答算出部１２、等化部１３、及び雑音分散算出部１５に出力する。
【００２２】
伝送路応答算出部１２は、フーリエ変換部１１により生成された複素ベースバンド信号ｙｉに含まれる既知のパイロット信号を抽出し、抽出したパイロット信号をもとに各キャリアの伝送路応答Ｈｉを算出（推定）する。伝送路応答Ｈｉは、等化部１３、消失キャリア判定部１４、及び雑音分散算出部１５に出力される。
【００２３】
等化部１３は、フーリエ変換部１１により生成された複素ベースバンド信号ｙｉを伝送路応答算出部１２により算出された伝送路応答Ｈｉで複素除算し、伝送路歪みを除去して送信信号の推定値
0005865084.tif 000002
を生成し、尤度比算出部１６に出力する。
【００２４】
消失キャリア判定部１４は、伝送路応答算出部１２により算出された各キャリアの伝送路応答Ｈｉを閾値Ｐと比較して、伝送路応答Ｈｉが閾値Ｐ以下となるキャリアを消失キャリアと判定し、判定結果を示す判定フラグＴｉをキャリアごとに生成し、雑音分散算出部１５に出力する。以下の説明では、消失キャリアであると判定したときは判定フラグＴｉ＝１とし、消失キャリアではないと判定したときは判定フラグＴｉ＝０とするものとする。詳細については後述する。
【００２５】
雑音分散算出部１５は、消失キャリア判定部１４により消失キャリアであると判定されたキャリアについて、ＯＦＤＭ信号の帯域雑音分散よりも大きな値となるように、キャリアごとの雑音分散であるキャリア雑音分散
0005865084.tif 000003
を算出（推定）し、尤度比算出部１６に出力する。詳細については後述する。
【００２６】
尤度比算出部１６は、等化部１３により生成された送信信号の推定値ｘ＾ｉ、及び雑音分散算出部１５により算出されたキャリア雑音分散σ＾ｉ２を用いて、送信された各ビットの尤度比Ｓを算出し、誤り訂正復号部１７に出力する。
【００２７】
図２は、尤度比算出部１６により算出される尤度比について説明する図である。ここでは変調方式がＱＰＳＫである場合を例にとって説明する。図２（ａ）はＱＰＳＫの２ビット（ｂ１ｂ０）の信号点配置と送信信号の推定値ｘ＾を示している。尤度比としては、一般的に対数尤度比（ＬＬＲ：Log-Likelihood Ratio）が用いられる。対数尤度比Ｓは、ｂ＝０となる尤度関数とｂ＝１となる尤度関数の比の対数で表される。つまり、対数尤度比Ｓは、送信信号の推定値ｘ＾、雑音分散σ２として、式（１）により求められる。ｄ１２，ｄ０２は理想シンボル点と送信信号の推定値ｘ＾との間の２乗ユークリッド距離である。
【００２８】
【数１】
0005865084.tif 000004
【００２９】
図２（ｂ）は雑音分散σ２が大きい場合のｂ１の尤度関数Ｐを示しており、図２（ｃ）は雑音分散σ２が小さい場合のｂ１の尤度関数Ｐを示している。雑音分散σ２が小さいほど式（１）により求まる対数尤度比の値は大きくなり、対数尤度比の信頼度が高くなる。尤度比算出部１６は、雑音分散算出部１５により算出されたキャリア雑音分散σ＾ｉ２を用いて、式（２）により送信された各ビットの尤度比Ｓｉを算出する。
【００３０】
【数２】
0005865084.tif 000005
【００３１】
誤り訂正復号部１７は、尤度比算出部１６により算出された尤度比Ｓｉを用いて、誤り訂正符号（ＬＤＰＣ復号やターボ復号）の復号を行う。例えば、ＬＤＰＣ符号の復号には、既知のsum-product復号法を用いる。
【００３２】
［消失キャリア判定部］
次に、消失キャリア判定部１４について詳細に説明する。消失キャリア判定部１４では、復調データをヌルとする閾値Ｐを、伝送路の状態に応じて調整する。閾値Ｐには上限値Ｐｍａｘを設定し、閾値Ｐが大きくなりすぎて受信特性が劣化することを防止する。図３は、消失キャリア判定部１４の構成例を示すブロック図である。図３に示すように、消失キャリア判定部１４は、閾値比較部１４１と、閾値調整部１４２と、を備える。
【００３３】
閾値比較部１４１は、伝送路応答算出部１２により生成された伝送路応答Ｈｉの振幅と、閾値調整部１４２により生成された閾値Ｐとを比較し、伝送路応答Ｈｉが閾値Ｐ以下である場合には、消失キャリアであると判定する。閾値比較部１４１は、判定結果である判定フラグＴｉを、雑音分散算出部１５に出力する。本実施例では、伝送路応答Ｈｉが閾値Ｐを超える場合には、判定フラグＴｉ＝０とし、伝送路応答Ｈｉが閾値Ｐ以下である場合には、判定フラグＴｉ＝１とする。
【００３４】
閾値調整部１４２は、閾値Ｐの値の調整を行い、調整後の閾値Ｐの値を閾値比較部１４１に出力する。図４は、閾値調整部１４２の動作例を示すフローチャートである。図４を参照して閾値調整部１４２の動作を説明する。閾値調整部１４２は、最初に閾値Ｐの初期値Ｐｍａｘを設定する（ステップＳ１０１）。Ｐｍａｘは閾値Ｐの上限値である。そして、全キャリアについて伝送路応答Ｈｉの振幅と閾値Ｐとを比較し、伝送路応答Ｈｉの振幅が閾値Ｐ以下となるキャリア、すなわち消失キャリアの数をカウントする（ステップＳ１０２）。
【００３５】
次に、全キャリア数に対する消失キャリア数の比率（以下、「消失キャリア比率Ｒ」という）を算出する（ステップＳ１０３）。そして、消失キャリア比率Ｒと消失限度比率Ｘとを比較判定する（ステップＳ１０４）。ステップＳ１０４にて消失キャリア比率Ｒ≦消失限度比率Ｘであると判定した場合には（ステップＳ１０４−Ｙｅｓ）、閾値Ｐの値を出力する（ステップＳ１０６）。
【００３６】
一方、ステップＳ１０４にて消失キャリア比率Ｒ＞消失限度比率Ｘであると判定した場合には（ステップＳ１０４−Ｎｏ）、閾値Ｐが大きすぎることが予想できる。消失キャリア数が多くなりすぎると伝送特性は劣化するため、閾値Ｐの値を所定値Ｑだけ小さくする（ステップＳ１０５）。そして、処理をステップＳ１０２に戻し、消失キャリア比率Ｒ≦消失限度比率Ｘとなるまで、同様の処理を繰り返し行う。
【００３７】
図５は、消失キャリア判定部１４の処理を説明する図である。閾値調整部１４２により、閾値Ｐの値は消失限度比率Ｘを超えないように調整される。そして、閾値比較部１４１により、伝送路応答Ｈｉと閾値Ｐとの比較により判定フラグＴｉを決定する。このような処理を行うことにより、伝送路の状態に応じて閾値Ｐを調整し、消失キャリア比率Ｒが消失限度比率Ｘを超えないように適切な閾値Ｐを決定することができる。消失限度比率Ｘをある程度小さくしておくことで、消失キャリア数が多くなりすぎてしまうことを防止することができる。例えば、消失限度比率Ｘを０．０５としたとき、消失キャリア比率Ｒは最大でも５％となる。
【００３８】
［雑音分散算出部］
次に、雑音分散算出部１５について詳細に説明する。図６は、雑音分散算出部１５の構成例を示すブロック図である。図５に示すように、雑音分散算出部１５は、帯域雑音分散算出部１５１と、キャリア雑音分散算出部１５２と、を備える。
【００３９】
帯域雑音分散算出部１５１は、受信したＯＦＤＭ信号の帯域雑音分散（ＯＦＤＭ信号の帯域全体における平均雑音分散）
0005865084.tif 000006
を算出（推定）する。
【００４０】
帯域雑音分散の算出方法としては、ＭＥＲ（Modulation Error Ratio）の値から算出する方法などが知られている。変調多値数が大きいキャリアのＭＥＲの値は、低ＣＮ比（Carrier to Noise Ratio）領域において信頼できる値が得られず、ＭＥＲの値から算出した雑音分散も信頼できる値とはならない。そのため、送信信号が地上デジタルテレビジョン放送の伝送方式のように６４ＱＡＭ、ＱＰＳＫ、ＢＰＳＫなどで変調されているキャリアが混在するＯＦＤＭ信号の場合には、変調多値数の小さいキャリア（この場合ＢＰＳＫ）のＭＥＲの値から雑音分散を算出するほうが良い精度を得られる。例えば、地上デジタル放送ＩＳＤＢ−Ｔの場合、ＡＣ（Auxiliary Channel）、ＴＭＣＣ（Transmission and Multiplexing Configuration Control）と呼ばれるキャリアはＢＰＳＫ変調されるため、これらのキャリアのそれぞれに雑音分散を求め、消失キャリアではないキャリアの平均を求めるなどして帯域雑音分散を算出するのが好適である。
【００４１】
また、帯域雑音分散算出部１５１は、消失キャリア判定部１４から入力される判定フラグＴｉを参照して、フーリエ変換部１１により生成された複素ベースバンド信号ｙｉのうち、消失キャリアではないと判定された（判定フラグＴｉ＝０）キャリアの複素ベースバンド信号ｙｉのみを用いて、ＯＦＤＭ信号帯域の帯域雑音分散σ−２を算出するようにしてもよい。消失キャリアを除いて帯域雑音分散を算出することにより、信頼度の高いキャリアだけを用いて信頼度の高い帯域雑音分散を算出することができる。なお、複素ベースバンド信号ｙｉではなく等化部１３により生成された送信信号の推定値ｘ＾ｉを用い、消失キャリアではないと判定された（判定フラグＴｉ＝０）キャリアの推定値ｘ＾ｉのみから、ＯＦＤＭ信号帯域の帯域雑音分散σ−２を算出するようにしてもよい。
【００４２】
キャリア雑音分散算出部１５２は、帯域雑音分散算出部１５１により算出された帯域雑音分散σ−２に対して、式（３）に示すようにキャリアごとに重み係数Ｃを乗じ、伝送路応答Ｈｉの振幅が大きいキャリアほど小さくなるようにキャリアごとの雑音分散（以下、「キャリア雑音分散」という）σ＾ｉ２を算出（推定）する。重み係数Ｃは式（４）に示すαｉと式（５）に示すα−との比で求まる。Ｅ［・］は消失キャリアではない判定フラグＴｉ＝０のキャリアについての相加平均を表す。αｉの逆数はキャリアの信頼度を表すため、信頼度が大きいキャリアほど雑音分散を小さくすることができる。
【００４３】
【数３】
0005865084.tif 000007
【００４４】
さらに、式（６）に示すように、消失キャリア判定部１４により消失キャリアであると判定された判定フラグＴｉ＝１のキャリアについては、キャリア雑音分散σ＾ｉ２＝∞としてもよい。キャリア雑音分散σ＾ｉ２＝∞としたときには、上述した式（２）により、当該キャリアの対数尤度比Ｓは０となる。
【００４５】
【数４】
0005865084.tif 000008
【００４６】
なお、受信装置１との間で伝送を行う送信装置においてインターリーブ処理を行っていた場合には、図７に示すように、受信装置１は、図１に示した構成に加え、デインターリーブ部１８を備える。デインターリーブ部１８は、等化部１３により生成された送信信号の推定値ｘ＾ｉ、及び雑音分散算出部１５により算出されたキャリア雑音分散σ＾ｉ２のそれぞれについてデインターリーブ処理を行う。これにより、送信装置側のインターリーブ処理により並べ替えられたデータを、元の順序に戻す。そして、尤度比算出部１６は、デインターリーブ処理後の送信信号の推定値ｘ＾ｉ、及びキャリア雑音分散σ＾ｉ２を用いて、送信された各ビットの尤度比Ｓを算出し、誤り訂正復号部１７に出力する。
【００４７】
また、受信装置１は、２５６ＱＡＭや１０２４ＱＡＭといった変調多値数が大きい変調方式により変調された信号を受信する場合には、図８に示すように、尤度比算出部１６の後に尤度比クリップ部１９を備えるのが好適である。尤度比クリップ部１９は、尤度比算出部１６により算出された尤度比Ｓｉの絶対値が所定の値を超える場合には、所定の値でクリップする。例えば対数尤度比Ｓｉが−１０以下となる場合は最小値−１０にクリップし、１０以上となるときは最大値１０にクリップする。誤り訂正復号部１７は、尤度比算出部１６により算出された尤度比Ｓｉの絶対値が所定の値を超える場合には、尤度比クリップ部１９によりクリップされた尤度比を用いて、送信されたビットの推定値を復号する。
【００４８】
一般に、変調多値数が大きいほど伝送するために必要なＣＮ比は大きくなり、ＣＮ比が大きい伝送路の雑音分散は小さくなる。そのため、上述した式（１）において、分子の値は変調多値数が大きい場合でもほとんど変わらないのに対し、分母の値は変調多値数が大きくなると小さくなり、その結果、対数尤度比Ｓｉの絶対値は大きくなる。誤り訂正復号部１７は、ＬＤＰＣ符号の例ではSum-Product復号によって送信ビットの復号を行うが、マルチパス環境やＳＦＮ環境において、信頼度の低いキャリアの尤度比Ｓｉが、誤っているにも関わらず非常に大きい絶対値となり誤り訂正しきれない状態が発生してしまうことがある。そこで、尤度比クリップ部１９によりクリップ処理を行うことで、変調多値数が大きく、信頼度の低いキャリアの信号を受信した場合において、受信特性の劣化を防ぐことができる。
【００４９】
上述したように、受信装置１は、フーリエ変換部１１により、受信したＯＦＤＭ信号をフーリエ変換して周波数領域の複素ベースバンド信号ｙｉを生成し、伝送路応答算出部１２により、複素ベースバンド信号ｙｉに含まれる既知のパイロット信号を抽出し、該抽出したパイロット信号をもとに各キャリアの伝送路応答Ｈｉを算出し、等化部１３により、複素ベースバンド信号ｙｉを伝送路応答Ｈｉで除算して送信信号の推定値ｘ＾ｉを生成し、消失キャリア判定部１４により、各キャリアの伝送路応答Ｈｉと閾値Ｐとを比較し、伝送路応答Ｈｉが閾値Ｐ以下となるキャリアを消失キャリアと判定し、このとき、消失キャリア判定部１４は、全キャリア数に対する消失キャリア数の比率が所定の値を超えないように、閾値Ｐを調整し、帯域雑音分散算出部１５１により、受信したＯＦＤＭ信号の帯域雑音分散σ−２を算出し、キャリア雑音分散算出部１５２により、消失キャリアと判定されたキャリアについて帯域雑音分散σ−２よりも大きな値となるようにキャリアごとのキャリア雑音分散σ＾ｉ２を算出し、尤度比算出部１６により、キャリア雑音分散σ＾ｉ２及び送信信号の推定値ｘ＾ｉを用いて、送信された各ビットの尤度比Ｓを算出し、誤り訂正復号部１７により、尤度比Ｓを用いて誤り訂正復号を行い、送信されたビットの推定値を得る。
【００５０】
キャリア雑音分散算出部１５２は、消失キャリアと判定されたキャリアについて帯域雑音分散σ−２よりも大きな値となるようにキャリアごとのキャリア雑音分散σ＾ｉ２を算出するため、信頼度の高い（伝送路応答の振幅が大きい）キャリアについては雑音分散が小さく、信頼度の低いキャリア（伝送路応答の振幅が小さい）は雑音分散が大きいとして、尤度算出を行うことができる。雑音分散を非常に大きな値とすれば、対数尤度比は０となり、復調データはヌル扱いとなる。このように、信頼度を考慮しながら復調データをできる限り復号に使用することができるため、受信特性の劣化を抑制することができる。
【００５１】
また、消失キャリア判定部１４は、全キャリア数に対する消失キャリア数の比率が所定の値を超えないように閾値Ｐを調整するため、閾値Ｐが大きくなりすぎて受信特性が劣化することを防止することができる。
【００５２】
また、帯域雑音分散算出部１５１は、消失キャリア判定部１４により消失キャリアではないと判定されたキャリアのみを用いて、帯域雑音分散σ−２を算出するようにしてもよい。これにより、信頼度の高いキャリアのみを用いて帯域雑音分散σ−２を算出することができるため、マルチパスによる雑音強調などを抑制でき、帯域雑音分散σ−２の精度を向上させることができる。
【００５３】
なお、上述した受信装置１として機能させるためにコンピュータを好適に用いることができ、そのようなコンピュータは、受信装置１の各機能を実現する処理内容を記述したプログラムを、当該コンピュータの記憶部に格納しておき、当該コンピュータのＣＰＵによってこのプログラムを読み出して実行させることで実現することができる。
【００５４】
上述の実施例は、代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。
【産業上の利用可能性】
【００５５】
このように、本発明によれば、受信特性の劣化を防止することができるので、ＯＦＤＭ信号を受信する任意の用途に有用である。
【符号の説明】
【００５６】
１      受信装置
１１    フーリエ変換部
１２    伝送路応答算出部
１３    等化部
１４    消失キャリア判定部
１５    雑音分散算出部
１６    尤度比算出部
１７    誤り訂正復号部
１８    デインターリーブ部
１４１  閾値比較部
１４２  閾値調整部
１５１  帯域雑音分散算出部
１５２  キャリア雑音分散算出部
【図１】
0005865084.tif 000009
【図２】
0005865084.tif 000010
【図３】
0005865084.tif 000011
【図４】
0005865084.tif 000012
【図５】
0005865084.tif 000013
【図６】
0005865084.tif 000014
【図７】
0005865084.tif 000015
【図８】
0005865084.tif 000016